(57)【要約】【課題】  集塵電極に対する電圧回路を特に用意することなく、しかもマイクロホンユニットに対する塵埃の付着を確実に防止する。【解決手段】  音波が通過可能な保護カバー３１を有するヘッドケース３０内に、振動板と固定極とを含むマイクロホンユニット４０が収納され、所定の成極電源より振動板と固定極との間に成極電圧が印加されるコンデンサマイクロホンにおいて、ヘッドケース３０内に、マイクロホンユニット４０の全体を非接触状態でカバーし、成極電源より成極電圧が印加される金属製網体からなる有底筒状の集塵電極５０を設ける。【選択図】  図１
2006101311.tif 000002
【特許請求の範囲】
【請求項１】
音波が通過可能な保護カバーを有するヘッドケース内に、対向的に配置された振動板と固定極とを含むマイクロホンユニットが収納され、所定の成極電源より上記振動板と固定極との間に成極電圧が印加されるコンデンサマイクロホンにおいて、
上記ヘッドケース内には、上記マイクロホンユニットの全体を非接触状態でカバーし、上記成極電源より上記成極電圧が印加される金属製網体からなる有底筒状の集塵電極が配置されていることを特徴とするコンデンサマイクロホン。
【請求項２】
上記集塵電極が４０〜６０メッシュの金属製網体からなることを特徴とする請求項１に記載のコンデンサマイクロホン。
【発明の詳細な説明】
【技術分野】
【０００１】
本発明はコンデンサマイクロホンに関し、さらに詳しく言えば、マイクロホンユニットの防塵技術に関するものである。
【背景技術】
【０００２】
コンデンサマイクロホンは、振動板と固定極とを所定の間隔をもって対向的に配置してなるマイクロホンユニットを備え、その振動板と固定極との間に成極電圧を印加してコンデンサを形成させ、振動板の振動による静電容量の変化を電界効果トランジスタや真空管などのインピーダンス変換器を介して音声信号として取り出す。
【０００３】
マイクロホンユニットに印加される成極電圧は、通常、数十Ｖから数百Ｖ程度の直流電圧であり、その成極電圧によって発生する静電吸引力により、空中に浮遊している塵埃がマイクロホンユニットに吸い寄せられて付着する。
【０００４】
塵埃には粒子状や繊維状など種々のものが含まれているが、繊維状の塵埃が振動板側の接地系と固定極側の信号系との間をつなぐように付着すると、その部分が漏洩電流の経路となる。塵埃の付着量は成極電圧を印加している時間に比例して多くなり、これに湿度が加わると漏洩電流が流れ大きな雑音が発生することがある。
【０００５】
これを防止する方法の一つとして、ウレタンフォームなどの多孔質素材もしくはナイロンメッシュや不織布などの通気性の高い素材による集塵フィルタをマイクロホンユニットに被せることが行われている。しかしながら、特に録音スタジオなどで使用されるコンデンサマイクロホンにおいては、音質や外観の点で集塵フィルタをマイクロホンユニットに被せることは好まれない。
【０００６】
このようなことから、特許文献１は集塵フィルタに代わる防塵技術を開示している。すなわち、特許文献１ではマイクロホンユニットの近傍に成極電圧よりも高い電圧に設定された集塵電極を配置し、その集塵電極に塵埃を静電的に吸引するようにしている。この場合、集塵電極としてはエレクトレット材が好ましいが、板状電極や線状電極，針状電極を用いることもできる。
【０００７】
【特許文献１】特開２００３−９２７９２号公報
【発明の開示】
【発明が解決しようとする課題】
【０００８】
上記特許文献１によれば、集塵電極の電圧がマイクロホンユニットの成極電圧よりも高いため、浮遊している塵埃の多くは集塵電極側に静電的に吸引されるが、マイクロホンユニットはヘッドケース（外筐）内において剥き出し状態であるため、依然としてその成極電圧により塵埃がマイクロホンユニットに吸着するおそれがある。
【０００９】
また、集塵電極がエレクトレット材である場合には、マイクロホンの不使用時にも塵埃が吸着されるため、その堆積量が増え続けることになる。クリーニングするにしても塵埃をきれいに取り去ることが難しい。
【００１０】
また、集塵電極がエレクトレット材でなく、板状電極や線状電極，針状電極などの金属製電極の場合には、成極電圧よりも高い電圧を作り出す例えば倍電圧整流回路などが必要とされ、その分コストアップになる。
【００１１】
したがって、本発明の課題は、集塵電極に対する電圧回路を特に用意することなく、しかもマイクロホンユニットに対する塵埃の付着を確実に防止することができるようにしたコンデンサマイクロホンを提供することにある。
【課題を解決するための手段】
【００１２】
上記課題を解決するため、本発明は、音波が通過可能な保護カバーを有するヘッドケース内に、対向的に配置された振動板と固定極とを含むマイクロホンユニットが収納され、所定の成極電源より上記振動板と固定極との間に成極電圧が印加されるコンデンサマイクロホンにおいて、上記ヘッドケース内には、上記マイクロホンユニットの全体を非接触状態でカバーし、上記成極電源より上記成極電圧が印加される金属製網体からなる有底筒状の集塵電極が配置されていることを特徴としている。
【００１３】
本発明において、上記集塵電極が４０〜６０メッシュの金属製網体からなることが好ましい。特に好ましいメッシュは５０メッシュである。なお、網体を構成する線材の径は０．１ｍｍ程度が好ましい。
【発明の効果】
【００１４】
本発明によれば、マイクロホンユニットの全体が金属製網体からなる集塵電極によって囲まれているため、マイクロホンユニットに対する塵埃の付着を確実に防止することができる。また、その電圧は成極電源より得るため、集塵電極に対する電圧回路を特に用意する必要もない。
【００１５】
さらには、マイクロホンの不使用時などにおいて、成極電源のスイッチをオフにすることにより、集塵電極にも成極電圧が印加されないため、集塵電極に対して必要以上に塵埃が付着することがなく、また、軽い振動を与えれば集塵電極に付着している塵埃を払い落とすことができる。
【発明を実施するための最良の形態】
【００１６】
次に、図１ないし図３により、本発明の実施形態について説明するが、本発明はこれに限定されるものではない。図１（ａ）は本発明によるコンデンサマイクロホンの一例を示す正面縦断面図，図１（ｂ）はその側面正面縦断面図，図２は本発明における成極電圧の印加回路の一例を示す模式図である。
【００１７】
図１（ａ）（ｂ）に示すように、ここで説明するコンデンサマイクロホンは、もっぱら録音スタジオで使用されるスタンド型のコンデンサマイクロホンであり、例えば黄銅合金より筒状に形成されたマイク筐体１０を備え、マイク筐体１０内にはインピーダンス変換器１１ａや成極電源回路１１ｂ（ともに図２参照）などを有する電気回路基板１１が収納される。
【００１８】
マイク筐体１０の下部にはコネクタ部２０が装着され、また、マイク本体１０の上部にはヘッドケース３０が被される。コネクタ部２０内には３ピンタイプの出力コネクタ２１が収納され、この出力コネクタ２１は図示しない平衡シールドケーブルを介してファントム（Ｐｈａｎｔｏｍ）電源と接続される。
【００１９】
ヘッドケース３０は、音波が通過可能な保護カバー３１を備えている。保護カバー３１はガードネットとも呼ばれ、通常、これには外来電磁波を遮蔽し得る金属製の網体が用いられるが、合成樹脂製であってもよい。また、風雑音を低減する目的で、保護カバー３１の内面（もしくは外面）にウレタンフォームなどの多孔質素材からなるウィンドスクリーン３２が添設されてもよい。
【００２０】
ヘッドケース３０内にはマイクロホンユニット４０が配置される。この例において、マイクロホンユニット４０は、硬質樹脂からなる支持ブラケット１２ａおよびゴム材からなる衝撃緩衝部材１２ｂを含むユニットマウント１２を介してヘッドケース３０内に位置するようにマイク筐体１０に支持される。
【００２１】
図１（ｂ）に示すように、この例でのマイクロホンユニット４０は、固定極の両側にそれぞれ振動板を配置してなるダブルダイアフラム型であるが、通常のシングルダイアフラム型であってもよい。なお、録音スタジオ用のスタンド型マイクロホンであることから、収音軸は水平方向に向けられる。
【００２２】
図２に模式的に示すように、マイクロホンユニット４０には振動板４１と固定極４２とが所定の間隔をもって対向的に配置され、固定極４２に上記インピーダンス変換器１１ａが接続されるとともに、上記成極電源回路１１ｂから所定の成極電圧が印加される。
【００２３】
一例として、成極電源回路１１ｂは、ファントム電源もしくは電池から供給される電圧から所定の成極電圧を生成する。振動板４１には例えば金属蒸着膜を有する合成樹脂フィルムが用いられる。振動板４１は所定の張力をもって支持リング４１ａに張設され、その支持リング４１ａを介してマイクロホンの接地（グランド）系に接続される。
【００２４】
固定極４２に印加される成極電圧に起因してマイクロホンユニット４０に浮遊塵埃が静電的に吸着するのを防止するため、本発明によると、ヘッドケース３０内においてマイクロホンユニット４０の全体に集塵電極５０が被せられる。
【００２５】
この例において、集塵電極５０は有底筒状に形成された金属製網体からなり、その開口部を下側、すなわち逆様としてマイクロホンユニット４０には接触しないようにユニットマウント１２に嵌着される。
【００２６】
図２に示すように、集塵電極５０は固定極４２とともに成極電源回路１１ｂに接続される。したがって、マイク使用時に図示しないマイク電源スイッチ（成極電源スイッチ）をオンにすることにより集塵電極５０にも成極電圧が加えられる。これにより、浮遊塵埃はマイクロホンユニット４０を囲っている集塵電極５０に静電的に吸着され、マイクロホンユニット４０には付着しない。
【００２７】
これに対して、マイク不使用時に上記マイク電源スイッチをオフにすると、集塵電極５０にも成極電圧が印加されず静電吸引力が消失するため、集塵電極５０に対して必要以上に塵埃が付着することがない。また、軽い振動を与えれば集塵電極５０に付着している塵埃を払い落とすことができる。
【００２８】
集塵電極５０は金属製の網体よりなるが、その目の細かさは少なくとも繊維状の塵埃の通過を阻止し得るものとして、４０〜６０メッシュ，とくには５０メッシュが好ましい。また、金属線の線径は０．１ｍｍ程度であることが好ましい。
【００２９】
以上、録音スタジオ用のスタンド型コンデンサマイクロホンを例にして本発明を説明したが、本発明はこれ以外の例えば手持ち用コンデンサマイクロホン，狭指向性のガンマイクロホン，衣類に装着して使用するタイピン型マイクロホンなどにも適用可能である。
【図面の簡単な説明】
【００３０】
【図１】（ａ）本発明によるコンデンサマイクロホンの一例を示す正面縦断面図，（ｂ）その側面正面縦断面図。
【図２】本発明における成極電圧の印加回路の一例を示す模式図。
【符号の説明】
【００３１】
１０  マイク筐体
１１  電気回路基板
１１ａ  インピーダンス変換器
１１ｂ  成極電源回路
２０  コネクタ部
２１  出力コネクタ
３０  ヘッドケース
３１  保護カバー
４０  マイクロホンユニット
４１  振動板
４２  固定極
５０  集塵電極
【図１】
2006101311.tif 000003
【図２】
2006101311.tif 000004